(57)【特許請求の範囲】
【請求項１】
陰茎にはめられる伸縮可能な環状の固体の部材であって、伸縮に応じて電気的性質が変化する環状部材と、
前記環状部材の電気的性質の変化を測定する測定部と、
前記測定部の測定結果に関する情報を出力する出力部とを備え、
前記環状部材は、伸縮性を有する導電性材料により構成される環状の部材に、１以上のコンデンサが挿入されたものであり、
前記測定部は、前記導電性材料により構成される環状の部材の伸縮による前記環状部材のインダクタンスの変化を測定する陰茎監視装置。
【請求項２】
陰茎にはめられる伸縮可能な環状の固体の部材であって、伸縮に応じて電気的性質が変化する環状部材と、
前記環状部材の電気的性質の変化を測定する測定部と、
前記測定部の測定結果に関する情報を出力する出力部とを備え、
前記環状部材は、伸縮性を有する導電性材料により構成される環状の部材に、一の非導電性材料の部材が挿入されたものであり、
前記測定部は、前記導電性材料の環状の部材の、前記一の非導電性材料の部材を挟む両端と接続され、前記導電性材料により構成される環状の部材の伸縮による前記環状部材のインダクタンスの変化を測定する陰茎監視装置。
【請求項３】
陰茎にはめられる伸縮可能な環状の固体の部材であって、伸縮に応じて電気的性質が変化する環状部材と、
前記環状部材の電気的性質の変化を測定する測定部と、
前記測定部の測定結果に関する情報を出力する出力部とを備え、
前記環状部材は、略環状に曲げられたソレノイドである一の周回ソレノイドを有しており、
前記測定部は、前記環状部材の伸縮に伴って伸縮する前記周回ソレノイドのインダクタンスの変化を測定する陰茎監視装置。
【請求項４】
陰茎にはめられる伸縮可能な環状の固体の部材であって、伸縮に応じて電気的性質が変化する環状部材と、
前記環状部材の電気的性質の変化を測定する測定部と、
前記測定部の測定結果に関する情報を出力する出力部とを備え、
前記環状部材は、周方向に延伸するよう配置された１つのソレノイドと、
当該ソレノイドの一端に対向するよう配置された磁性体と、を有しており、
前記測定部は、前記環状部材の伸縮に伴って変化する前記ソレノイドと前記磁性体との距離によって変化する前記ソレノイドのインダクタンスの変化を測定する陰茎監視装置。
【請求項５】
陰茎にはめられる伸縮可能な環状の固体の部材であって、伸縮に応じて電気的性質が変化する環状部材と、
前記環状部材の電気的性質の変化を測定する測定部と、
前記測定部の測定結果に関する情報を出力する出力部とを備え、
前記環状部材は、周方向に延伸するよう周方向に沿って予め決められた距離を隔てて配列された２つのソレノイドを有しており、
前記測定部は、前記環状部材の伸縮に伴って変化する前記２つのソレノイド間の距離によって変化する前記ソレノイドの相互インダクタンスの変化を測定する陰茎監視装置。
【請求項６】
陰茎にはめられる伸縮可能な環状の固体の部材であって、伸縮に応じて電気的性質が変化する環状部材と、
前記環状部材の電気的性質の変化を測定する測定部と、
前記測定部の測定結果に関する情報を出力する出力部とを備え、
前記環状部材は、周方向に延伸するよう周方向に沿って予め決められた距離を隔てて配列された、直列接続された２つのソレノイドと、
前記２つのソレノイドと接続された発振回路と、を備え、、
前記測定部は、前記環状部材の伸縮に伴って変化する前記２つのソレノイド間の距離によって変化する前記ソレノイドの自己インダクタンスの変化を測定する陰茎監視装置。
【請求項７】
前記測定部は、前記環状部材の電気的性質の変化の測定結果を示す値を取得し、取得した値を、前記環状部材の周回方向のスティフネスと、陰茎白膜の動作状態における周回方向のスティフネスとに応じて逆算按分して、陰茎の周囲長および陰茎の内圧の変化を示す値を取得する請求項１から請求項６いずれか一項記載の陰茎監視装置。
【請求項８】
陰茎にはめられる伸縮可能な環状の固体の部材であって、伸縮に応じて電気的性質が変化する環状部材と、
前記環状部材の電気的性質の変化を測定する測定部と、
前記測定部の測定結果に関する情報を出力する出力部とを備え、
前記測定部は、前記環状部材の電気的性質の変化の測定結果を示す値を取得し、取得した値を、前記環状部材の周回方向のスティフネスと、陰茎白膜の動作状態における周回方向のスティフネスとに応じて逆算按分して、陰茎の周囲長および陰茎の内圧の変化を示す値を取得する陰茎監視装置。
【請求項９】
前記出力部は、前記測定結果に関する情報として、陰茎の周囲長の変化および内圧の変化の少なくとも一方を示す情報を出力する請求項１から請求項８いずれか一項記載の陰茎監視装置。
【発明の詳細な説明】
【技術分野】
【０００１】
本発明は、勃起等による陰茎の周囲長の変化や、内圧の変化等を監視する装置等に関するものであり、例えば、周囲長の変化を長時間にわたり連続監視する装置等に関するものである。
【背景技術】
【０００２】
陰茎海綿体の内部は、蛇行する静脈洞が密集してスポンジ状になっており、副交感神経を通じて、陰茎深動脈からの血流が調節されている。性的興奮やその他の生理現象により、静脈洞への血流が多くなり、海綿体は血液で満たされて膨張して硬くなる。また、それと同時に海綿体表層部の導出静脈が圧迫・閉塞され、海綿体からの血液の流出が阻害される。これにより、陰茎全体も膨張して硬く変化する。これを陰茎の勃起と呼ぶ。
【０００３】
勃起不全／勃起障害（Ｅｒｅｃｔｉｌｅ  Ｄｙｓｆｕｎｃｔｉｏｎ；  ＥＤ）とは「性交時に必要十分な勃起やその維持ができず満足な性交が行えない状態」のことである。高齢化に伴いＥＤの患者が急増しており、いくつかの疫学調査をもとに試算すると本邦では約１１３０万人程度の男性がＥＤの悩みを抱えていると言われている。ＥＤ治療薬／改善薬として「バイアグラ（登録商標）」等の勃起障害改善薬（ＰＤＥ５阻害剤）が国内外で広く使用されているが、無効症例・非適応症例が約２０％存在するとされ、それらの診断は十分されていないのが実態である。
【０００４】
ＥＤの診断は、通常、夜間陰茎勃起現象（Ｎｏｃｔｕｒｎａｌ  ｐｅｎｉｌｅ  ｔｕｍｅｓｃｅｎｃｅ；  ＮＰＴ）の測定により行われる。測定に用いられる代表的標準的診断装置としては、例えば、ＲｉｇｉＳｃａｎ（登録商標）および後継版であるＲｉｇｉＳｃａｎ−Ｐｌｕｓ（登録商標）等と呼ばれる装置が知られていた。これはセンサに繋がる２つのループを陰茎の先端部と根部に装着し、ループとセンサ入りの本体とは各々有線的に接続され、その本体は大腿部または腹部に固定して計測するというものである。本体の中にはこのループを動かし周径と硬さを測定する部分とデータを記録する部分とが内蔵されている。ループの中には細いワイヤーが入っており、本体の中の測定装置と繋がっている。このワイヤーは勃起に支障のない程度の弱い力で常に牽引されており、陰茎の太さの変化にあわせてループが陰茎に密着するようになっている。陰茎の腫脹、萎縮によるワイヤーの出入りは３０秒ごとに記憶される。さらにループの伸展により中のワイヤーが弛緩時より１ｃｍ以上本体からひきだされると、約２８０ｇ（１０ｏｚ）の力でワイヤーが本体内のモーターで牽引され、この時のひきもどされたワイヤーの長さから陰茎の硬さの指標が計算される。ワイヤーがまったく引き戻されなかったときの硬度が１００％、ワイヤーが２２ｍｍ以上ひきもどされたときの硬度が０％である。
【０００５】
また、従来の技術として、伸縮可能な所定長さの可撓性チューブ内に常温で液相を維持し導電性又は電気抵抗性を有するガリウム‐インジウム合金を封入し、このチューブを環状にしかつ両端を束ねて陰茎装着用のセンサループを形成し、両端に前記封入合金に接する電極端を有する一対の外部接続用導体を装着するとともに、これらの導体をチューブ両端間の電気抵抗値を測定するための測定回路に接続するものが知られていた（例えば、特許文献１参照）。
【先行技術文献】
【特許文献】
【０００６】
【特許文献１】特開平６−１３３９５１号公報（第１頁、第１図等）
【発明の概要】
【発明が解決しようとする課題】
【０００７】
しかしながら、従来においては、陰茎の監視を行なう際におけるユーザの負担を軽減することができない、という課題があった。
【０００８】
例えば、上述したＲｉｇｉＳｃａｎの場合、ワイヤーの出入りにより陰茎の膨張や萎縮による膨張の周囲長の変化を監視するため、ループをワイヤー等で牽引した状態で本体と接続しておく必要があり、ユーザの活動の自由度や、体勢の自由度等が制限されてしまい、ユーザに肉体的負荷や精神的負担がかかってしまう、という問題があった。
【０００９】
また、例えば、特許文献１において説明した装置においては、チューブ内に、導電性に優れた常温で液層のガリウム−インジウム化合物を封入したチューブを陰茎にとりつけて監視が行なわれるため、チューブの破損によって内部の物質の漏洩しないよう、チューブを丁寧に扱う必要があるとともに、陰茎にチューブを取付けた状態で、チューブに衝撃等を与えないようにする必要があり、取扱等に関して、ユーザに負担をかけてしまう、という問題があった。
【００１０】
本発明は、上記のような課題を解消するためになされたものであり、陰茎の監視の際のユーザの負担を軽減することが可能な陰茎監視装置等を提供することを目的とする。
【課題を解決するための手段】
【００１１】
本発明の陰茎監視装置は、陰茎にはめられる伸縮可能な環状の固体の部材であって、伸縮に応じて電気的性質が変化する環状部材と、環状部材の電気的性質の変化を測定する測定部と、測定部の測定結果に関する情報を出力する出力部とを備えた陰茎監視装置である。
【００１２】
かかる構成により、陰茎を監視する際のユーザの負担を軽減することができる。例えば、監視の際に、ワイヤー等で牽引したループ等を陰茎に取付ける必要が無く、ユーザの負担を軽減することができる。また、例えば、固体の環状部材を取付けて監視を行なうため、液層の物質の漏洩等を考慮せず容易に環状部材を取り扱うことができるため、ユーザの負担を軽減することができる。
【００１３】
また、本発明の陰茎監視装置は、前記陰茎監視装置において、環状部材は、伸縮性を有する導電性材料により構成される環状の部材に、１以上のコンデンサが挿入されたものであり、測定部は、導電性材料により構成される環状の部材の伸縮による環状部材のインダクタンスの変化を測定する陰茎監視装置である。
【００１４】
かかる構成により、陰茎を監視する際のユーザの負担を軽減することができる。
【００１５】
また、本発明の陰茎監視装置は、前記陰茎監視装置において、環状部材は、伸縮性を有する導電性材料により構成される環状の部材に、一の非導電性材料の部材が挿入されたものであり、測定部は、導電性座標の環状の部材の、一の非導電性材料の部材を挟む両端と接続され、導電性材料により構成される環状の部材の伸縮による環状部材のインダクタンスの変化を測定する陰茎監視装置である。
【００１６】
かかる構成により、陰茎を監視する際のユーザの負担を軽減することができる。
【００１７】
また、本発明の陰茎監視装置は、前記陰茎監視装置において、環状部材は、略環状に曲げられたソレノイドである一の周回ソレノイドを有しており、測定部は、環状部材の伸縮に伴って伸縮する周回ソレノイドのインダクタンスの変化を測定する陰茎監視装置である。
【００１８】
かかる構成により、陰茎を監視する際のユーザの負担を軽減することができる。
【００１９】
また、本発明の陰茎監視装置は、前記陰茎監視装置において、環状部材は、周方向に延伸するよう配置された１つのソレノイドと、ソレノイドの一端に対向するよう配置された磁性体と、を有しており、測定部は、環状部材の伸縮に伴って変化するソレノイドと磁性体との距離によって変化するソレノイドのインダクタンスの変化を測定する陰茎監視装置である。
【００２０】
かかる構成により、陰茎を監視する際のユーザの負担を軽減することができる。
【００２１】
また、本発明の陰茎監視装置は、前記陰茎監視装置において、環状部材は、周方向に延伸するよう周方向に沿って予め決められた距離を隔てて配列された２つのソレノイドを有しており、測定部は、環状部材の伸縮に伴って変化する２つのソレノイド間の距離によって変化するソレノイドの相互インダクタンスの変化を測定する陰茎監視装置である。
【００２２】
かかる構成により、陰茎を監視する際のユーザの負担を軽減することができる。
【００２３】
また、本発明の陰茎監視装置は、前記陰茎監視装置において、環状部材は、周方向に延伸するよう周方向に沿って予め決められた距離を隔てて配列された、直列接続された２つのソレノイドと、２つのソレノイドと接続された発振回路と、を備え、測定部は、環状部材の伸縮に伴って変化する２つのソレノイド間の距離によって変化するソレノイドの自己インダクタンスの変化を測定する陰茎監視装置である。
【００２４】
かかる構成により、陰茎を監視する際のユーザの負担を軽減することができる。
【００２５】
また、本発明の陰茎監視装置は、前記陰茎監視装置において、測定部は、環状部材の電気的性質の変化の測定結果を示す値を取得し、取得した値を、環状部材の周回方向のスティフネスと、陰茎白膜の動作状態における周回方向のスティフネスとに応じて逆算按分して、陰茎の周囲長および陰茎の内圧の変化を示す値を取得する陰茎監視装置である。
【００２６】
かかる構成により、陰茎を監視する際のユーザの負担を軽減することができる。
【００２７】
また、本発明の陰茎監視装置は、前記陰茎監視装置において、出力部は、測定結果に関する情報として、陰茎の周囲長の変化および内圧の変化の少なくとも一方を示す情報を出力する陰茎監視装置である。
【００２８】
かかる構成により、陰茎を監視する際のユーザの負担を軽減することができる。
【００２９】
本発明の環状部材は、陰茎にはめられる伸縮可能な環状の部材であって、伸縮に応じて電気的性質が変化する環状部材である。
【００３０】
かかる構成により、この環状部材の電気的性質の変化を測定することによって、陰茎を監視する際のユーザの負担を軽減することができる。
【発明の効果】
【００３１】
本発明による陰茎監視装置等によれば、監視の際におけるユーザの負担を軽減することができる。
【図面の簡単な説明】
【００３２】
【図１】本発明の実施の形態１における陰茎監視装置の第１の例を示す模式図（図１（ａ））、その環状部材の等価回路（図１（ｂ））、その環状部材を陰茎にはめた状態を示す図（図１（ｃ））、第２の例を示す模式図（図１（ｄ））、およびその環状部材の等価回路（図１（ｅ））
【図２】同陰茎監視装置を説明するための模式図（図２（ａ））、および変形例を示す図（図２（ｂ））
【図３】本発明の実施の形態２における陰茎監視装置を示す模式図（図３（ａ））、およびその環状部材を陰茎にはめた状態を示す図（図３（ｂ））
【図４】同陰茎監視装置の変形例を示す図（図４（ａ）、および、同陰茎監視装置に用いられる発振用の回路の一例を示す回路図（図４（ｂ））
【図５】本発明の実施の形態３における陰茎監視装置を示す模式図（図５（ａ））、その環状部材の主要部の一部切り欠き図（図５（ｂ））、およびその環状部材を陰茎にはめた状態を示す図（図５（ｃ））
【図６】本発明の実施の形態４における陰茎監視装置を示す模式図（図６（ａ））、その環状部材の一部切り欠き図（図６（ｂ））、およびその環状部材を陰茎にはめた状態を示す図（図６（ｃ））、環状部材の変形例を示す図（図６（ｄ））
【図７】本発明の実施の形態５における陰茎監視装置を示す模式図（図７（ａ））、その環状部材の一部切り欠き図（図７（ｂ））、およびその環状部材を陰茎にはめた状態を示す図（図７（ｃ））、環状部材の変形例を示す図（図７（ｄ））
【図８】本発明の実施の形態３における陰茎監視装置のソレノイドからの漏洩磁束を取得するための装置の構成の第一の例を示す図（図８（ａ））、環状部材から漏洩磁束を取得している状態を示す模式図（図８（ｂ））、第二の例を示す図（図８（ｃ））、環状部材から漏洩磁束を取得している状態を示す模式図（図８（ｄ））
【図９】本発明の実施の形態３における陰茎監視装置の共振周波数を取得するために用いられる構成の一例を示す図（図９（ａ））、および本発明の実施の形態４における測定部により測定を行なっている状態の一例を示す図（図９（ｂ））
【図１０】本発明の各実施の形態における陰茎監視装置を説明するための、陰茎における周囲長の変化と、内圧の変化との関係を示すグラフ
【発明を実施するための形態】
【００３３】
以下、陰茎監視装置等の実施形態について図面を参照して説明する。なお、実施の形態において同じ符号を付した構成要素は同様の動作を行うので、再度の説明を省略する場合がある。
【００３４】
（実施の形態１）
図１は、本実施の形態における陰茎監視装置１の第１の例を示す模式図（図１（ａ））、その環状部材の等価回路（図１（ｂ））、その環状部材を陰茎にはめた状態を示す図（図１（ｃ））、陰茎監視装置１の第２の例を示す模式図（図１（ｄ））、およびその環状部材の等価回路（図１（ｅ））である。
【００３５】
図２は、本実施の形態における陰茎監視装置１を説明するための模式図（図２（ａ））、および陰茎監視装置１の変形例を示す模式図（図２（ｂ））である。
【００３６】
陰茎監視装置１は、環状部材１０１、測定部１０２、および出力部１０３を備える。陰茎監視装置１は、例えば、環状部材１０１の伸縮によって、陰茎の周囲長の変化や、硬度の変化を監視するものである。
【００３７】
環状部材１０１は、導電性部材１０１１、１以上のコンデンサ１０１２を備える。
【００３８】
環状部材１０１は、人間の陰茎５０にはめるための環状の部材であるが、人間以外の動物の陰茎にはめて用いることも妨げない。環状部材１０１は伸縮可能な固体の部材であり、その伸縮に応じて電気的性質が変化する部材である。伸縮に応じて変化する電気的性質には自己インタクタンスや相互インタクタンス等のインダクタンスが含まれるが、他にも環状部材１０１自身の電気伝導度（導電率もしくは抵抗率と解釈しても良い）や周回方向の静電容量もしくは半径方向の静電容量（誘電率と解釈しても良い）が、その部材の伸縮に呼応して変化するならばそのような性質を利用して、その計測を行う如く構成することもできる。
【００３９】
なお、図１（ｃ）においては、環状部材１０１一つだけを、陰茎５０にはめている場合を示しているが、複数の環状部材１０１を陰茎５０の異なる位置にはめるようにしても良い。かかることは、以下の他の実施の形態等においても同様である。
【００４０】
以下、本実施の形態においては、環状部材１０１が、導電性部材１０１１と、１以上のコンデンサ１０１２とを備えたものである場合について説明する。
【００４１】
環状部材１０１は、伸縮性を有する導電性材料により構成される環状の部材に、１以上のコンデンサ１０１２が挿入されたものであり、環状の形状を有している。ここでは、伸縮性を有する導電性材料により構成される環状の部材を、導電性部材１０１１と呼ぶ。環状部材１０１の太さ等は、問わない。図１（ａ）においては、導電性部材１０１１に１個のコンデンサ１０１２が挿入されているものを示しており、図１（ｄ）においては、導電性部材１０１１に４個のコンデンサ１０１２が、コンデンサ１０１２同士が直接接続されないよう挿入された場合を示している。導電性部材１０１１のコンデンサ１０１２の挿入により分断された部分と、コンデンサ１０１２とは、例えば、直列接続となるよう配置されている。ただし、挿入されるコンデンサ１０１２の数は問わない。コンデンサ１０１２の容量等は、例えば、導電性部材１０１１の材質や、長さ等により決定される。
【００４２】
環状部材１０１は、例えば、導電性部材１０１１の伸縮に応じて自己インダクタンスが変化するものである。環状部材１０１は、例えば、陰茎５０にはめられた状態で、陰茎５０の伸縮に応じて導電性部材１０１１が伸縮することで自己インダクタンスが変化するものである。
【００４３】
ここでは、環状部材１０１を、環状の導電性部材１０１１に、１以上のコンデンサ１０１２が挿入されたものと考えているが、１以上の伸縮性を有する導電性材料により構成される線状の導電性部材１０１１を、１以上のコンデンサ１０１２を介して直列に接続したことによって環状の形状を有するようになったものを、環状部材１０１と考えてもよい。なお、線状は、帯状も含むものと考えてもよい。
【００４４】
なお、環状部材１０１は、監視する目的に応じた硬さを有するものとすることが好ましい。例えば、陰茎５０の膨張や萎縮による陰茎５０の周囲長の変化を監視するためには、環状部材１０１は、陰茎５０の海綿体白膜よりも柔軟であることが好ましい。海綿体白膜とは、陰茎５０内の海綿体を包む結合組織性の膜である。例えば、環状部材１０１を構成する物質等が、陰茎の勃起時の屹立の主体となる陰茎５０の海綿体白膜の勃起時における硬度より十分に、あるいは有意に柔らかい場合には、海綿体白膜の周囲長の増大（あるいは径の増大）を本質的に妨害しないため、環状部材１０１の周囲長の変化を測定することが、陰茎５０の海綿体白膜の周囲長の変化を図ったことと等価な結果が得られる。つまり、環状部材１０１の硬さを海綿体白膜よりも柔軟なものとすることで、例えば、陰茎５０の周囲長の変化を測定して、周囲長を監視することが可能となる。
【００４５】
また、例えば、陰茎５０の膨張や萎縮による陰茎５０の内圧の変化を監視するためには、環状部材１０１は、陰茎５０の海綿体白膜よりも堅牢であることが好ましい。例えば、環状部材１０１を構成する物質等が、陰茎の勃起時の屹立の主体となる陰茎５０の海綿体白膜の勃起時における硬度より十分に、あるいは有意に硬い場合には、海綿体白膜の周囲長の増大（あるいは径の増大）を本質的に阻止するため、環状部材１０１の周囲長の微少な変化を測定することで、陰茎５０の海綿体白膜の内部応力を、即ち海綿体白膜の内圧の変化を図ったことと透過な結果が得られる。つまり、環状部材１０１の硬さを海綿体白膜よりも堅牢なものとすることで、例えば、陰茎５０の内圧の変化を測定して、内圧を監視することが可能となる。なお、海綿体白膜よりも堅牢であるということは、例えば、海綿体白膜よりも強固、あるいは硬いことと考えてもよい。
なお、かかることは、以下の他の実施の形態においても同様である。
【００４６】
例えば、本実施の形態１において陰茎５０の周囲長の変化を測定して周囲長の変化を監視するためには、上記の伸縮性を有する導電性材料として、海綿体白膜よりも柔軟な材料であることが好ましい。海綿体白膜よりも柔軟な材料としては、信越化学工業株式会社より市販されているＲＴＶシリコーンＫＥ１０５２が一例として挙げられる。また、陰茎５０の周囲長の変化ではなくむしろ内圧の変化を測定して監視するためには、上記の伸縮性を有する導電性材料として海綿体白膜よりも堅牢な材料を用いることが好ましい。海綿体白膜よりも堅牢な材料としては、一般にクロロプレンゴム、フッ素ゴム、ブチルゴムなどとして知られている素材が一例として挙げられる。
【００４７】
伸縮性を有する導電性材料は、例えば、弾性を有する導電性材料である。伸縮性を有する導電性材料は、例えば、環状部材１０１が、陰茎の膨張や萎縮に応じて伸縮するものとなるような材料であることが好ましい。伸縮性を有する導電性材料は、例えば、導電性シリコーンや、導電性ゴム等である。導電性シリコーンや、導電性ゴム等については、公知技術であるため、ここでは詳細な説明は省略する。
【００４８】
環状部材１０１は、例えば、陰茎の周囲に隙間がないよう嵌めることが可能な材料や形状、サイズ等を有するものであることが好ましい。例えば、環状部材１０１は、円環形状を有していることが好ましい。また、環状部材１０１の陰茎５０にはめていない状態の内径は、例えば、この環状部材１０１をはめるユーザの陰茎５０よりわずかに狭いものであることが好ましく、陰茎５０にはめた状態で、少しだけ伸びた状態となって、陰茎５０を軽く締め付けるようになるようなサイズであることが好ましい。
【００４９】
環状部材１０１の太さや、周囲長等のサイズは問わない。例えば、文献「Ｖｅａｌｅ  Ｄ，  Ｍｉｌｅｓ  Ｓ，  Ｂｒａｍｌｅｙ  Ｓ，  Ｍｕｉｒ  Ｇ，  Ｈｏｄｓｏｌｌ  Ｊ．  Ａｍ  Ｉ  ｎｏｒｍａｌ？  Ａ  ｓｙｓｔｅｍａｔｉｃ  ｒｅｖｉｅｗ  ａｎｄ  ｃｏｎｓｔｒｕｃｔｉｏｎ  ｏｆ  ｎｏｍｏｇｒａｍｓ  ｆｏｒ  ｆｌａｃｃｉｄ  ａｎｄ  ｅｒｅｃｔ  ｐｅｎｉｓ  ｌｅｎｇｔｈ  ａｎｄ  ｃｉｒｃｕｍｆｅｒｅｎｃｅ  ｉｎ  ｕｐ  ｔｏ  １５，５２１  ｍｅｎ．  ＢＪＵ  Ｉｎｔ．  ２０１５  Ｊｕｎ；１１５（６）：９７８−８６．  ｄｏｉ：  １０．１１１１／ｂｊｕ．１３０１０．  Ｅｐｕｂ  ２０１５  Ｍａｒ  ２」によれば、弛緩状態の陰茎周囲長は平均９．３ｃｍ、勃起状態では平均１１．７ｃｍであることから、環状部材１０１の応力等を加えていない状態の周囲長は、例えば、７〜１１ｃｍであることが好ましい。
【００５０】
なお、環状部材１０１は、全体として伸縮性を有しているものであれば良い。例えば、環状部材１０１の一部分等が伸縮性を有していなくても、全体として伸縮性を有していれば、環状部材１０１を伸縮性を有するものと考えてよい。例えば、コンデンサ１０１２が伸縮可能なものでなくても、導電性部材１０１１が伸縮可能なものである結果、環状部材１０１全体が伸縮可能となれば、環状部材１０１が伸縮性を有していると考えてもよい。
【００５１】
測定部１０２は、環状部材１０１の電気的性質の変化を測定する。測定部１０２は、環状部材１０１の電気的性質の経時的な変化を測定する。電気的性質の変化を測定するということは、結果的に変化が検出可能な値等を測定することであっても良く、例えば、１以上の時点での電気的性質を示す値を測定することも含むと考えてもよい。かかることは以下においても同様である。ここでは、測定部１０２は、例えば、環状部材１０１の導電性部材１０１１の伸縮による環状部材１０１の自己インダクタンスの変化を測定する。具体的には、環状部材１０１を、陰茎５０にはめた状態で、陰茎の膨張および萎縮による陰茎の周囲長の変化に伴う導電性部材１０１１の伸縮による環状部材１０１の自己インダクタンスの変化を測定する。ここでは、例えば、測定部１０２は、自己インダクタンスの変化を、環状部材１０１に非接触で測定する。
【００５２】
測定部１０２は、導電性部材１０１１の伸縮による環状部材１０１のインダクタンスの変化を測定する。測定部１０２は、例えば、環状部材１０１に対して非接触で、環状部材１０１の自己インダクタンスの変化を測定する。測定部１０２は、例えば、環状部材１０１の共振周波数を非接触的に電磁結合あるいは静電結合で計測する装置であれば、どのようなものを用いてもよい。例えば、このような共振周波数を非接触に測定する測定部１０２としては、具体的には、いわゆるグリッドディップメーターと同様の構成や計測技法を採用したものが利用可能である。また、共振周波数を非接触に測定する測定部１０２としては、例えば、ネットワーク・スペクトラムアナライザ等を用いても良い。また、これ以外の共振周波数を非接触に測定する装置を、測定部１０２として用いても良い。グリッドディップメーターや、ネットワーク・スペクトラムアナライザ等の共振周波数を非接触に測定する装置については、公知技術であるため、ここでは詳細な説明は省略する。
【００５３】
なお、測定部１０２によるインダクタンスの測定等が行なわれるタイミングやトリガー等は問わない。例えば、測定等は、例えば、予め決められた一定のタイミングや不定のタイミング等により繰返し行なわれる。
【００５４】
なお、複数の環状部材１０１を陰茎５０の異なる位置にはめる場合、複数の測定部１０２を、それぞれの位置に配置して、各測定部１０２により、それぞれの共振周波数等を測定するようにしてもよい。また、一の測定部１０２の測定に用いられる複数のプローブ（図示せず）を、上記のそれぞれの位置に配置して測定を行なうようにしても良い。かかることは、以下の他の実施の形態等においても同様である。
【００５５】
出力部１０３は、測定部１０２の測定結果に関する情報を出力する。測定結果に関する情報は、例えば、測定部１０２が取得した測定結果を示す情報であってもよい。測定結果を示す情報は、例えば、測定部１０２が取得したインダクタンスを示す数値等である。また、出力部１０３は、測定結果に関する情報として、例えば、陰茎５０の周囲長の変化および内圧の変化の少なくとも一方を示す情報を出力してもよい。例えば、出力部１０３は、測定部１０２の測定結果を用いて、陰茎５０の周囲長の変化を示す情報（例えば、周囲長の変化量を示す値や、変化後の周囲等を示す値等）を取得して、この情報を出力しても良い。また、出力部１０３は、測定部１０２の測定結果を用いて、陰茎５０の内圧の変化を示す情報（例えば、内圧の変化量を示す値や、変化後の内圧等を示す値等）を取得して、この情報を出力しても良い。また、内圧の変化を示す情報から陰茎５０の硬さの変化に関する情報を取得して出力しても良い。測定結果に関する情報は、測定部１０２の測定結果を用いて出力部１０３が取得した陰茎の状態に関する情報であってもよい。陰茎の状態に関する情報は、例えば、測定結果を示す情報であるインダクタンスを示す値を元に、予め決められた変換式や変換表等を用いて算出された陰茎の周囲長の変化等を示す数値や内圧の変化等を示す数値等であっても良く、この数値から閾値等を用いて判断した陰茎の膨張状態を示す情報（例えば、勃起状態であるか否かを示す情報等）や値や指標等であってもよい。
【００５６】
なお、出力部１０３は、測定部１０２が測定結果を取得する毎に、測定結果に関する情報を出力してもよく、測定部１０２による測定が終了した場合や、予め決められたタイミングやトリガーに応じて、まとめて測定結果に関する情報を出力しても良い。例えば、出力部１０３は、予め決められた条件を満たす測定結果（例えば、閾値を超える測定結果）を測定部１０２が取得した場合に測定結果に関する情報を出力しても良い。
【００５７】
ここでの出力とは、ディスプレイへの表示、プロジェクターを用いた投影、プリンタへの印字、音出力、外部の装置への送信、記録媒体への蓄積、他の処理装置や他のプログラム等への処理結果の引渡し等を含む概念である。
【００５８】
陰茎監視装置１の動作の一例を簡単に説明すると、環状部材１０１を被験者の陰茎５０にはめた後、測定部１０２を用いて測定を開始すると、測定部１０２は、例えば、予め決められたタイミングやランダムなタイミングにより、環状部材１０１のインダクタンスの変化（ここでは、自己インダクタンスの変化）の測定を繰返し行なう。そして、出力部１０３は、測定部１０２の測定結果に関する情報を出力する。かかる動作は後述する他の陰茎監視装置においても同様である。
【００５９】
以下、陰茎監視装置１の動作の原理等について例を挙げて説明する。
例えば、環状部材１０１を図２（ａ）に示すようなワンターンコイル１０１ａと考えた場合、このワンターンコイル１０１ａのインダクタンスの変化を観測することにより、陰茎の周囲長の変化を間接的に観測することができる。例えば、環状部材１０１を、ワンターンコイル１０１ａと考えた場合、その自己インダクタンスはその径ないし断面積に関して大きくなれば大きくなる関係で本質的に依存するので、その変化分の計測は、環状部材１０１が配置された陰茎５０の周囲長の変化や内圧の変化を良く代弁する。例えば、陰茎５０が膨張すれば、環状部材１０１もこれに伴って伸びて、環状部材１０１の断面積も大きくなり、自己インダクタンスも増加する。
【００６０】
ここで、このワンターンコイル１０１ａのインダクタンスの値を、非接触的に計測するために、上記においては、図１（ａ）や図１（ｄ）に示すように、環状部材１０１の１または複数の箇所に直列に固定のコンデンサ１０１２を挿入して、環状部材１０１を図１（ｂ）や図１（ｅ）に示した等価回路のような構成とし、この環状部材１０１全体の成す共振周波数を非接触的に電磁結合あるいは静電結合で計測すれば良い。
【００６１】
このため、環状部材１０１を図１（ｃ）に示すように、陰茎５０にはめるとともに、この環状部材１０１の共振周波数を、上記のようなグリッドディップメーターやネットワーク・スペクトラムアナライザ等を測定部１０２として用いて非接触に測定することで、陰茎５０の変化に応じて変化する自己インダクタンスの値等を測定結果として取得することができる。そして、出力部１０３が、このような測定結果に関する情報を出力することで、この出力等を用いてユーザの陰茎５０の周囲長の変化や内圧の変化を監視することができる。
【００６２】
また、本実施の形態における環状部材１０１は、固体であるため、取り扱い等を特に慎重に行なう必要はなく、また、監視時におけるユーザの自由度も特に厳しく制限されることがないため、監視の際におけるユーザへの精神的な負担等を軽減させることができる。
【００６３】
以上、本実施の形態によれば、固体である環状部材１０１の共振周波数を、測定部１０２により非接触に測定することによって、陰茎を非接触に監視することができ、監視の際におけるユーザの負担を軽減することができる。
【００６４】
なお、上記実施の形態の図１（ａ）に示した陰茎監視装置１において、環状部材１０１のコンデンサ１０１２の代わりに、図２（ｂ）に示すように、一の非導電性部材１０１５を挿入するようにし、導電性部材１０１１の、この非導電性部材１０１５を挟む両端１０１１ａおよび１０１１ｂを、引き出し線１０１４ａおよび１０１４ｂ等を介して測定部１０２ａと有線接続し、有線接続によって環状部材２０１のインダクタンスを測定するようにしても良い。非導電性部材１０１５の材料は、例えば、非導電性のシリコーンやゴム、セラミック、樹脂等である。この場合の測定部１０２ａとしては、いわゆるＬＣＲメータ等の有線接続により自己インダクタンスを測定可能な測定部が用いられる。有線接続により自己インダクタンスを測定可能な測定部については、公知技術であるため、ここでは詳細な説明は省略する。
【００６５】
このような場合においても、環状部材１０１と、測定部１０２ａとの接続は、単なる配線の接続であり、上述した従来の技術のように、特に環状部材１０１を、ワイヤ等で牽引するものではないため、ユーザに与える監視時の負担を軽減することができる。
【００６６】
（実施の形態２）
図３は、本実施の形態における陰茎監視装置を示す模式図（図３（ａ））、および陰茎監視装置の環状部材を陰茎にはめた状態を示す図（図３（ｂ））である。
【００６７】
陰茎監視装置２は、環状部材２０１、測定部２０２および出力部１０３を備える。
【００６８】
環状部材２０１は、一の周回ソレノイド２０１１、チューブ２０１２、およびコンデンサ２０１３を備える。
【００６９】
本実施の形態における陰茎監視装置２は、上記実施の形態１において説明した陰茎監視装置において、陰茎にはめられる伸縮可能な環状の固体の部材であって、伸縮に応じて電気的性質が変化する環状部材として、１の周回ソレノイド２０１１とチューブ２０１２とコンデンサ２０１３を備えた環状部材２０１を用いるようにしたものである。
【００７０】
周回ソレノイド２０１１は、略環状に曲げられているソレノイドである。ソレノイドとは、円筒型のコイルである。ソレノイド２０１１は、例えば、直線上に延伸するソレノイドを、円環状に曲げたものである。周回ソレノイド２０１１は、例えば、環状部材２０１の周方向に沿って曲がりながら延伸するソレノイドと考えてもよい。周回ソレノイド２０１１の両端は、例えば、略同軸状となる位置に配置される。略環状に曲げられているということは、例えば、周回ソレノイド２０１１が完全な円環形状となるよう曲げられていることであってもよく、完全な円環形状ではなく、一部が途切れた円環形状を有するよう曲げられていても良いことを意味する。例えば、周回ソレノイド２０１１の両端、具体的には始点と終点はつなげられていなくても良い。周回ソレノイド２０１１の導線の太さや巻き数や直径等は問わない。図３（ａ）においては、一例として、周回ソレノイド２０１１は、両端同士が直接接続されておらず、その両端が、それぞれ、コンデンサ２０１３の両端に接続されている場合を示している。つまり、図３（ａ）の周回ソレノイド２０１１は、円環状に曲げられたソレノイドであって、その両端がコンデンサ２０１３と接続されたソレノイドである。また、ここでは、有芯でない周回ソレノイド２０１１を用いた場合を例に挙げて示しているが、有芯のソレノイドを用いるようにしてもよい。コンデンサ２０１３の容量等は問わない。コンデンサ２０１３の容量は、例えば、周回ソレノイド２０１１の巻き数や直径等により決定される。コンデンサ２０１３として、例えば、上述した実施の形態１と同様のコンデンサが利用可能である。
【００７１】
周回ソレノイド２０１１は、チューブ２０１２内に配置されている。図においては、説明のため、透明なチューブ２０１２に周回ソレノイド２０１１が配置されている場合を例に挙げて示しているが、チューブの２０１２の色や透明度等は問わない。チューブ２０１２内に配置されるということは、チューブ２０１２の壁部に、チューブ２０１２の中空となる部分が、ソレノイド２０１１の中空部分となるようソレノイド２０１１が埋め込まれていることであっても良く、チューブ２０１２の中空の部分に挿入されていることであっても良い。チューブ２０１２は、ソレノイド２０１１に沿って曲がっている。チューブ２０１２は、ソレノイド２０１１の場合と同様に、略環状の形状を有している。チューブ２０１２は、円環形状を有していることが好ましい。例えば、ソレノイド２０１１は、円環状（例えばドーナツ状）のソフトシリコーンのチューブ２０１２の中に埋め込まれて成形されたものであってもよい。ただし、円環形状の一部が途切れた形状等であっても良い。なお、コンデンサ２０１３もチューブ２０１２内に配置されていてもよく、チューブ２０１２外に配置されていても良い。チューブ２０１２としては、例えば、非導電性で伸縮性を有する材質が用いられる。チューブ２０１２の材質は、例えば、非導電性のシリコーンや、ゴム、柔軟性を有する塩化ビニル等の樹脂等である。例えば、チューブ２０１２の材質は、ソフトシリコーンである。
【００７２】
なお、周回ソレノイド２０１１は、チューブ２０１２の代わりに、中空ではない伸縮性を有する環状の線状部材に埋め込まれているようにしても良い。
【００７３】
また、ソレノイド２０１１の延伸方向の長さ（具体的には陰茎５０の周りに沿った長さ）や、チューブ２０１２の長さ（具体的には陰茎５０の周りに沿った長さ）等は、例えば、環状部材２０１を、陰茎５０にはめていない状態で、例えば、この環状部材２０１をはめるユーザの陰茎５０よりわずかに狭いものであることが好ましく、陰茎５０にはめた状態で、少しだけ伸びた状態となって、陰茎５０を軽く締め付けるようになるようなサイズであることが好ましい。また、ソレノイド２０１１の巻き数や直径等は問わないが、ソレノイド２０１１を構成する導線の太さや巻き数は、環状部材２０１の柔軟性等を損ねない程度の太さや、巻き数とすることが好ましい。
【００７４】
なお、上記実施の形態１において説明したように、陰茎５０の周囲長の変化を監視するためには、環状部材２０１は、陰茎５０の海綿体白膜よりも柔軟なものとすることが好ましい。また、陰茎５０の内圧の変化を監視するためには、環状部材２０１は、陰茎５０の海綿体白膜よりも堅牢なものとすることが好ましい。例えば、チューブ２０１２等の環状の線状部材の材質を、海綿体白膜よりも柔軟なものとすることで、周囲長の変化が監視可能となり、海綿体白膜よりも堅牢なものとすることで、内圧の変化が監視可能となる。
【００７５】
測定部２０２については、上記実施の形態１の測定部１０２と同様のものが利用可能であり、ここでの説明は省略する。
【００７６】
出力部１０３については、測定部２０２の測定結果に関する情報を出力する点を除けば、上記実施の形態１と同様であり、ここでは説明を省略する。
【００７７】
以下、陰茎監視装置２の動作の原理等について例を挙げて説明する。
ソレノイドすなわち円筒型のコイルをその始端と終端を同軸的に近接させるごとく曲げたの自己インダクタンスは、これが直伸していた時とほぼ同じである。しかし、このように丸く曲げられた状態ではその全長は周長であり、その自己インダクタンスは周長に、ないし形状が円に近似出来ればその直径に依存する。すなわち総ターン数（つまり、コイルの巻き数）は一定なので全長が延びればそのインダクタンスは減る。一方で、このように曲げたソレノイドは空芯トロイダルコイルであると見立てても良いが、巻線の始点と終点が対峙する所に周方向に巻線のない区間があるので、厳密には空芯トロイダルコイルとしては扱えない。本実施の形態の周回ソレノイド２０１１のインダクタンスの変化は、周回ソレノイド２０１１の両端をコンデンサ２０１３と接続して、周回ソレノイド２０１１を有する回路を共振回路とすることにより、上記実施の形態１と同様に電磁結合あるいは静電結合でもって近傍にて非接触的に共振周波数を測定可能であり、この共振周波数から自己インダクタンスの変化を示す値等を取得して自己インダクタンスの変化を観測することが可能である。なお、このコンデンサ２０１３は、同調用のコンデンサと考えてもよい。
【００７８】
このため、環状部材２０１を図３（ｂ）に示すように陰茎５０にはめた状態で、周回ソレノイド２０１３のインダクタンスの変化を、非接触で測定部２０２を用いて測定し、これを出力部１０３が出力することで、陰茎５０の周囲長の変化や内圧の変化を間接的に観測することができる。
【００７９】
以上、本実施の形態によれば、固体である環状部材２０１の共振周波数を、測定部２０２により非接触に測定することによって、陰茎の周囲長の変化や内圧の変化を非接触に監視することができ、監視の際におけるユーザの負担を軽減することができる。
【００８０】
なお、上記実施の形態の図３（ａ）に示した陰茎監視装置１において、環状部材２０１のコンデンサ２０１３を設けないようにして、図４（ａ）に示すように、周回ソレノイド２０１１の端部２０１１ａおよび２０１１ｂを、引き出し線２０１４ａおよび２０１４ｂ等を介して測定部２０２ａと有線接続し、有線接続によって環状部材２０１のインダクタンスの変化を測定するようにしても良い。この場合の測定部２０２ａとしては、上述した測定部１０２ａと同様のものが利用可能である。
【００８１】
このような場合においても、環状部材２０１と、測定部２０２ａとの接続は、単なる配線の接続であり、上述した従来の技術のように、特に環状部材２０１を、ワイヤ等で牽引するものではないため、ユーザに与える監視時の負担を軽減することができる。
【００８２】
また、図３（ａ）に示したような周回ソレノイド２０１１とコンデンサ２０１３とにより構成される共振回路を有する環状部材２０１に、図３（ｂ）に示すようなトランジスタや、小型電池等を備えた発振用の回路２０５０を設置して該共振回路を含む形で発振させ、その発振信号を上記と同様に近傍にて測定部２０２により電磁結合あるいは静電結合でもって非接触的に測定するようにしてもよい。なお、図３（ｂ）に示す発振用の回路２０５０は一例であり、他の構成の発振回路を用いても良い。
【００８３】
発振回路２０５０の発振出力は、外界のやや離れた地点において、その漏えいする電界ないし磁界を電磁結合あるいは静電結合により、もしくは放射される電磁波の伝播結果を受信することにより検知することが可能であり、その結果該検知結果に基づいてその発振周波数およびその変化を観測することができる。回路２０５０等の発信用の回路については、公知技術であるため、ここでは詳細な説明は省略する。なお、図３（ｂ）の回路の数値等は一例であり、数値等は適宜変更可能である。
【００８４】
（実施の形態３）
図５は、本実施の形態における陰茎監視装置を示す模式図（図５（ａ））、その環状部材の主要部の一部切り欠き図（図５（ｂ））、およびその環状部材を陰茎にはめた状態を示す図（図５（ｃ））である。
【００８５】
陰茎監視装置３は、環状部材３０１、測定部３０２、および出力部１０３を備える。
【００８６】
環状部材３０１は、線状部材３０１１、ソレノイド３０１２、磁性体３０１３、伸縮カバー３０１４を備える。
【００８７】
本実施の形態における陰茎監視装置３は、上記実施の形態１において説明した陰茎監視装置において、陰茎にはめられる伸縮可能な環状の固体の部材であって、伸縮に応じて電気的性質が変化する環状部材として、線状部材３０１１、ソレノイド３０１２、磁性体３０１３、伸縮カバー３０１４を備えた環状部材３０１を用いるようにしたものである。
【００８８】
線状部材３０１１は、一部が途切れた環状の形状を有する伸縮性を有する固体の部材である。線状部材３０１１は、中空であっても、中空でなくても良い。図５においては、線状部材３０１１として、中空のチューブが用いられている場合を例に挙げて示している。線状部材３０１１としては、例えば、上述したチューブ２０１２と同様の材質が用いられる。
【００８９】
ソレノイド３０１２は、環状部材３０１の周方向に延伸するよう配置されている。ソレノイド３０１２の長さは問わない。ソレノイド３０１２の長さは、例えば、環状部材の円周と比べて十分に短い長さであっても良い。ソレノイド３０１２は、例えば、線状部材３０１１の第一の端部３０１１ａに取付けられている。例えば、ソレノイド３０１２の一端と、線状部材３０１１の第一の端部３０１１ａとが接続されている。例えば、ソレノイド３０１２は、その中心軸と線状部材３０１１の第一の端部３０１１ａ側の中心軸とが、ほぼ同軸となるよう配置される。ソレノイド３０１２の線状部材３０１１への取り付け方等については問わない。ソレノイド３０１２は線状部材３０１１に直接取付けられていてもよく、図示しない台座等を介して間接的に取付けられていてもよい。ソレノイド３０１２は、線状部材３０１１の第一の端部３０１１ａに巻き付けられていても良い。図５においては、棒状のソレノイド用台座３０１２ａの一端が、線状部材３０１１の第一の端部３０１１ａの中空部分を塞ぐように挿入されており、このソレノイド用台座３０１２ａの第一の端部３０１１ａに挿入されていない部分に、ソレノイド３０１２が巻き付けられている場合を例に挙げて示している。ソレノイド用台座３０１２ａの材質等は問わない。例えば、線状部材３０１１と同じ材料であってもよい。ソレノイド３０１２の導線の太さや、巻き数や、直径等は問わない。
【００９０】
なお、ここでは図示していないが、ソレノイド３０１２には、上記実施の形態と同様のこのソレノイド３０１２の両端間を接続するコンデンサが接続されており、ソレノイド３０１２と、このコンデンサとが共振回路を構成している。
【００９１】
磁性体３０１３は、ソレノイド３０１２の一端に対向するよう配置される。ここでのソレノイド３０１２の一端とは、例えば、ソレノイド３０１２の、線状部材３０１１と取付けられている側とは異なる一端である。例えば、磁性体３０１３は、環状部材３０１の、第一の端部３０１１ａとは異なる端部である第二の端部３０１１ｂに取付けられている。磁性体３０１３は、例えば、フェライト片である。磁性体３０１３としては、軟磁性を示すソフトフェライトを用いることが好ましい。例えば、磁性体３０１３は、ソレノイド３０１２のほぼ中心軸上に配置される。磁性体３０１３は、ソレノイド３０１２内に位置するよう線状部材３０１１の第二の端部３０１１ｂに取付けられていてもよい。磁性体３０１３の線状部材３０１１への取り付け方等については問わない。磁性体３０１３は線状部材３０１１に直接取付けられていてもよく、図示しない台座等を介して間接的に取付けられていてもよい。図５においては、棒状の磁性体用台座３０１２ａの一端が、線状部材３０１１の第二の端部３０１１ｂの中空部分を塞ぐように挿入されており、この磁性体用台座３０１２ａの第二の端部３０１１ｂに挿入されていない部分に、磁性体３０１３が設置されている場合を例に挙げて示している。
【００９２】
伸縮カバー３０１４は、線状部材３０１１の第一の端部３０１１ａと第二の端部３０１１ｂとを連結するよう設けられているカバーである。この伸縮カバー３０１４内に、ソレノイド３０１２と、磁性体３０１３とが配置されている。伸縮カバー３０１４は、例えば、ゴムやソフトシリコーン等の非導電性の材質により構成される。
【００９３】
伸縮カバー３０１４は、同じ力を加えた場合に、線状部材３０１１と少なくとも同じ程度伸縮する材質や構造を有していることが好ましく、伸縮しやすい材質や、構造を有していることがより好ましい。例えば、伸縮カバー３０１４は、弾性率が、線状部材３０１１以下である材質で構成されていることが好ましい。また、伸縮カバー３０１４は、例えば、ベローズ構造、言い換えれば蛇腹構造を有していることが好ましい。図５においては、伸縮カバー３０１４がベローズ構造を有している場合を例に挙げて示している。
【００９４】
なお、上記実施の形態１において説明したように、陰茎５０の周囲長の変化を監視するためには、環状部材３０１は、陰茎５０の海綿体白膜よりも柔軟なものとすることが好ましい。また、陰茎５０の内圧の変化を監視するためには、環状部材３０１は、陰茎５０の海綿体白膜よりも堅牢なものとすることが好ましい。例えば、線状部材３０１１の材質や伸縮カバー３０１４の材質や構造等を、海綿体白膜よりも柔軟なものとすることで、周囲長の変化が監視可能となり、海綿体白膜よりも堅牢なものとすることで、内圧の変化が監視可能となる。
【００９５】
測定部３０２は、環状部材３０１の伸縮に伴って変化するソレノイド３０１２と磁性体３０１３との距離によって変化するソレノイド３０１２のインダクタンスの変化を測定する。測定部３０２としては、上記実施の形態で説明した測定部１０２等と同様のものが利用可能であり、ここでは詳細な説明は省略する。
【００９６】
出力部１０３については、測定部３０２の測定結果に関する情報を出力する点を除けば、上記実施の形態１と同様であり、ここでは説明を省略する。
【００９７】
次に、陰茎監視装置３の動作の原理等について例を挙げて説明する。
【００９８】
図５（ｂ）に示すように、べローズ構造を有する伸縮カバー３０１４が伸びればソレノイド３０１２と磁性体３０１３とのが遠のいてインダクタンスが減少し、逆に伸縮カバー３０１４が縮めば、ソレノイド３０１２と磁性体３０１３とが近づいてインダクタンスが増加する。ソレノイド３０１２と磁性体３０１３とは、それぞれソフトシリコーン等できた環状の線状部材３０１１の両端に結合されているので、環状部材３０１の周回方向の内部応力はそのままこのソレノイド３０１２の中心軸方向の応力となり、応力によるソレノイド３０１２と磁性体３０１３との距離の変化が、環状部材３０１の自己インダクタンスの変化として検出することが可能となる。このため、例えば、ソレノイド３０１２の両端を上述したように一のコンデンサ（図示せず）に接続して、ソレノイド３０１２を有する共振回路とすることにより、上記実施の形態１と同様に電磁結合あるいは静電結合でもって近傍にて共振周波数を測定でき、これにより、結果的に自己インダクタンスを非接触的に測定可能である。
【００９９】
このため、図５（ｃ）に示すように、環状部材３０１を陰茎５０にはめ、測定部３０２により、環状部材３０１の自己インダクタンスの変化を非接触で測定することによって、陰茎５０の周囲長の変化や内圧の変化を、これに伴うソレノイド３０１２と磁性体３０１３との距離の変化による自己インダクタンスの変化として測定することができ、これを出力部１０３が出力することで、陰茎５０の周囲長の変化や内圧の変化等を間接的に観測することができる。
【０１００】
以上、本実施の形態によれば、固体である環状部材３０１の共振周波数を、測定部３０２により非接触に測定することによって、陰茎の周囲長の変化や内圧の変化等を非接触に監視することができ、監視の際におけるユーザの負担を軽減することができる。
【０１０１】
なお、ソレノイド３０１２の両端をコンデンサに接続する代わりに、ソレノイド３０１２の両端を、図示しない引き出し線等を介して、上記実施の形態１等において説明したインダクタンスを測定する測定部１０２ａ等に接続して、ソレノイド３０１２のインダクタンスを測定するようにしても良いことはいうまでもない。
【０１０２】
また、上記において、環状部材３０１に、図４（ｂ）に示した回路２０５０のような発振用の回路を設置して環状部材３０１が有するソレノイド３０１２とコンデンサ（図示せず）を有する共振回路を発信させ、その発信信号を、上記と同様に、測定部３０２等により、電磁結合あるいは静電結合でもって近傍にて非接触的に測定するようにしてもよい。
【０１０３】
（実施の形態４）
図６は、本実施の形態における陰茎監視装置を示す模式図（図６（ａ））、その環状部材の一部切り欠き図（図６（ｂ））、およびその環状部材を陰茎にはめた状態を示す図（図６（ｃ））、環状部材の変形例を示す図（図６（ｄ））である。
【０１０４】
陰茎監視装置４は、環状部材４０１、測定部４０２、および出力部１０３を備える。
【０１０５】
環状部材４０１は、線状部材４０１１、２つのソレノイド４０１２を備える。ここでは、２つのソレノイド４０１２を、ソレノイド４０１２ａおよび４０１２ｂと呼ぶ場合がある。
【０１０６】
本実施の形態における陰茎監視装置４は、上記実施の形態１において説明した陰茎監視装置において、陰茎にはめられる伸縮可能な環状の固体の部材であって、伸縮に応じて電気的性質が変化する環状部材として、線状部材４０１１、２つのソレノイド４０１２とを備えた環状部材３０１を用いるようにしたものである。
【０１０７】
線状部材４０１１は、環状の形状を有する伸縮性を有する固体の部材である。線状部材４０１１は、中空であっても、中空でなくても良い。図６においては、線状部材４０１１として、中空のチューブが用いられている場合を例に挙げて示している。線状部材４０１１としては、例えば、上述したチューブ２０１２と同様の材質が用いられる。
【０１０８】
２つのソレノイド４０１２は、周方向に延伸するよう周方向に沿って予め決められた距離を隔てて配列されている。２つのソレノイド４０１２は、接続されていないものとする。２つのソレノイド４０１２は、それぞれ、線状部材４０１１内に配置されていても良く、図６（ｄ）に示すように、線状部材４０１１の外側等に巻き付けられていても良い。また、実施の形態２の周回ソレノイドにおいて説明したように、ソレノイド４０１２が、管状の線状部材４０１の壁部等に埋め込まれていても良い。ソレノイド４０１２の導線は、例えば、柔軟性を有する材料等で被覆されていても良い。ソレノイド４０１２が、線状部材４０１１内に配置されるとは、例えば、線状部材４０１１が中空でない場合、線状部材４０１１に周方向に延伸するよう埋め込まれることである。ソレノイド４０１２が、線状部材４０１１内に配置されるとは、例えば、線状部材４０１１が中空である場合、線状部材４０１１に周方向に延伸するよう線状部材４０１１の壁部に、線状部材４０１１の中空となる部分がソレノイド４０１２の中空部分となるよう埋め込まれるていることであっても良く、ソレノイド４０１２が、線状部材４０１１の中空部分に挿入されていることであってもよい。２つのソレノイド４０１２の長さや巻き数、ソレノイド４０１２を構成する導線の太さ、直径等は問わない。また、２つのソレノイド４０１２間の距離は、相互インダクタンスの変化を検出可能な距離であればどのような距離であるかは問わない。この距離は、ソレノイド同士が接触しない程度の微少な距離であっても良い。ソレノイド４０１２は、空芯であっても良く、空芯でなくてもよい。
【０１０９】
なお、上記実施の形態１において説明したように、陰茎５０の周囲長の変化を監視するためには、環状部材４０１は、陰茎５０の海綿体白膜よりも柔軟なものとすることが好ましい。また、陰茎５０の内圧の変化を監視するためには、環状部材４０１は、陰茎５０の海綿体白膜よりも堅牢なものとすることが好ましい。例えば、線状部材４０１１等の材質を、海綿体白膜よりも柔軟なものとすることで、周囲長の変化が監視可能となり、海綿体白膜よりも堅牢なものとすることで、内圧の変化が監視可能となる。
【０１１０】
測定部４０２は、環状部材４０１の伸縮に伴って変化する２つのソレノイド４０１２ａおよび４０１２ｂ間の距離によって変化するソレノイド４０１２の相互インダクタンスの変化を測定する。例えば、測定部４０２としては、公知の相互インダクタンスの変化を測定する装置が利用可能である。公知の相互インダクタンスの変化を測定する装置としては、例えば、ネットワークアナライザ等が利用可能である。ネットワークアナライザは、通常、４端子計測となり、例えば、二端子には駆動側のプローブ（図示せず）の２つの端子が接続され、残りの二端子には、検出側のプローブ（図示せず）の２つの端子が接続される。各プローブとしては、ワンターンコイルや、それ以外の巻き数が複数であるコイルや、磁界を検出するアンテナ等が利用可能である。ネットワークアナライザについては、公知技術であるため、ここでの詳細な説明は省略する。
【０１１１】
出力部１０３については、測定部４０２の測定結果に関する情報を出力する点を除けば、上記実施の形態１と同様であり、ここでは説明を省略する。
【０１１２】
次に、陰茎監視装置４の動作の原理等について例を挙げて説明する。
【０１１３】
例えば、図６に示すように、ソフトシリコーン等でできた環状の線状部材４０１１の中に少しだけ離して空芯の２つコイル、即ち、ソレノイド４０１２ａおよび４０１２ｂを、それぞれ環状の線状部材４０１１の周方向に延伸するよう配置すると、環状部材４０１の伸縮にあわせて、ソレノイド４０１２ａとソレノイド４０１２ｂとの距離が変化するため、、これらの間の相互インダクタンスが、環状部材４０１の伸縮に応じて変化する。
【０１１４】
このため、環状部材４０１を図６（ｃ）に示すように、陰茎５０にはめた状態で、測定部４０２であるネットワークアナライザにより、非接触で相互インダクタンスの変化を測定することで、陰茎５０の周囲長の変化や内圧の変化を、これに伴うソレノイド４０１２ａと４０１２ｂとの距離の変化による相互インダクタンスの変化として測定することができ、これを出力部１０３が出力することで、陰茎５０の周囲長の変化や内圧の変化を間接的に観測することができる。
【０１１５】
以上、本実施の形態によれば、固体である環状部材４０１の共振周波数を、測定部４０２により非接触に測定することによって、陰茎の周囲長の変化や内圧の変化を非接触に監視することができ、監視の際におけるユーザの負担を軽減することができる。
【０１１６】
（実施の形態５）
図７は、本実施の形態における陰茎監視装置を示す模式図（図７（ａ））、その環状部材の一部切り欠き図（図７（ｂ））、およびその環状部材を陰茎にはめた状態を示す図（図７（ｃ））、環状部材の変形例を示す図（図７（ｄ））である。
【０１１７】
陰茎監視装置５は、環状部材５０１、測定部５０２、および出力部１０３を備える。
【０１１８】
環状部材５０１は、線状部材４０１１、２つのソレノイド４０１２、発振回路５０１３を備える。ここでは、２つのソレノイド４０１２を、ソレノイド４０１２ａおよび４０１２ｂと呼ぶ場合がある。
【０１１９】
本実施の形態における陰茎監視装置５は、上記実施の形態４において説明した陰茎監視装置において、２つのソレノイド４０１２を直列に接続するとともに、直列に接続した２つのソレノイド４０１２を、発振回路５０１３に接続するようにしたものである。
【０１２０】
線状部材４０１１については、上記実施の形態４と同様であるため、ここでは説明を省略する。
【０１２１】
２つのソレノイド４０１２は、周方向に延伸するよう周方向に沿って予め決められた距離を隔てて配列されている。２つのソレノイド４０１２は、直列接続されている。２つのソレノイド４０１２間は、例えば、環状部材５０１の伸縮によって、２つのソレノイド４０１２間の距離が伸縮した場合でも、２つのソレノイド４０１２間の電気的接続が保たれるように接続されている。具体的には、少なくとも距離が延びる分だけたるませた、あるいは折り畳んだ配線等で接続されていても良く、あるいは、伸縮可能となるよう繊維状に編んだ配線等で接続しても良い。また、伸縮可能な導電性材料等で接続されていても良い。
【０１２２】
なお、上記実施の形態１において説明したように、陰茎５０の周囲長の変化を監視するためには、環状部材５０１は、陰茎５０の海綿体白膜よりも柔軟なものとすることが好ましい。また、陰茎５０の内圧の変化を監視するためには、環状部材５０１は、陰茎５０の海綿体白膜よりも堅牢なものとすることが好ましい。例えば、線状部材４０１１等の材質を、海綿体白膜よりも柔軟なものとすることで、周囲長の変化が監視可能となり、海綿体白膜よりも堅牢なものとすることで、内圧の変化が監視可能となる。
【０１２３】
発振回路５０１３は、直列に接続された２つのソレノイド４０１２の両端に接続されている。発振回路５０１３は、例えば、２つのソレノイド４０１２間の距離の変化によって変化する自己インダクタンスを周波数決定要素とする発振回路である。なお、インダクタンスにより周波数が決定される発振回路については公知技術であるため、ここでは説明を省略する。発振回路５０１３としては、例えば、図４（ｂ）に示した回路２０５０等が利用可能である。発振回路５０１３がどのように配置されているかは問わない。発振回路５０１３は、線状部材４０１１内に配置されていても良く、線状部材４０１１の外側に配置されていても良い。例えば、図７（ｄ）に示すように、２つのソレノイド４０１２が線状部材４０１１の外側に巻き付けられているとともに、発振回路５０１３も、線状部材４０１１の外側に配置されていてもよい。なお、図７は説明のための図であって、図７においては、環状部材５０１と環状部材５０１の発振回路５０１３との大きさの関係等は必ずしも正確なものではない。
【０１２４】
発振回路５０１３としては、例えば、共振周波数の変化または発振周波数の変化を、外界のやや離れた所等から非接触的に電磁結合あるいは静電結合により、もしくは発射される電磁波の伝播結果の受信により取得可能な回路が利用可能である。
【０１２５】
測定部５０２は、環状部材５０１の伸縮に伴って変化する２つのソレノイド間の距離によって変化するソレノイド４０１２の自己インダクタンスの変化を測定する。測定部５０２は、例えば、発振回路５０１３が発信する発信信号を、測定部２０２等により、電磁結合あるいは静電結合でもって近傍にて非接触的に測定するものである。測定部５０２としては、例えば、上記実施の形態１の測定部１０２と同様のものが利用可能であり、ここでは説明は省略する。
【０１２６】
出力部１０３については、測定部５０２の測定結果に関する情報を出力する点を除けば、上記実施の形態１と同様であり、ここでは説明を省略する。
【０１２７】
次に、陰茎監視装置５の動作の原理等について例を挙げて説明する。
例えば、図７に示すように、ソフトシリコーン等でできた環状の線状部材４０１１の中に少しだけ離して空芯の２つコイル、即ち、ソレノイド４０１２ａおよび４０１２ｂを、それぞれ環状の線状部材４０１１の周方向に延伸するよう配置すると、環状部材４０１の伸縮にあわせて、接続されたソレノイド４０１２ａとソレノイド４０１２ｂとの距離が変化するため、接続された２つのソレノイド４０１２の自己インダクタンスが、環状部材４０１の伸縮に応じて変化する。この変化に応じて、発振回路５０１３が発信する発信信号の周波数も変化する。つまり発信信号の周波数の変化が、環状部材４０１の伸縮を示すこととなる。
【０１２８】
このため、環状部材４０１を図６（ｃ）に示すように、陰茎５０にはめた状態で、測定部５０２で、非接触により発振回路５０１３が発信する発信信号を受信して、その発信周波数の変化を検知することで、陰茎５０の周囲長の変化や内圧の変化を、これに伴うソレノイド４０１２ａと４０１２ｂとの距離の変化による自己インダクタンスの変化として測定することができ、これを出力部１０３が出力することで、陰茎５０の周囲長の変化や内圧の変化を間接的に観測することができる。
【０１２９】
以上、本実施の形態によれば、固体である環状部材５０１の発信周波数を、測定部２０２により非接触に測定することによって、陰茎の周囲長の変化や内圧の変化を非接触に監視することができ、監視の際におけるユーザの負担を軽減することができる。
【０１３０】
なお、本実施の形態において、直列に接続された２つのソレノイド３０１２の両端を、発振回路５０１３に接続する代わりに、直列に接続された２つのソレノイド３０１２の両端を、それぞれ、図示しない引き出し線等を介して、上記実施の形態１等において説明したインダクタンスを測定する測定部１０２ａ等に接続して、直列に接続された２つのソレノイド３０１２のインダクタンスの変化を測定するようにしても良いことはいうまでもない。
【０１３１】
また、本実施の形態において、直列に接続された２つのソレノイド３０１２の両端を、発振回路５０１３を接続する代わりに、上記実施の形態１において説明したようなコンデンサ（図示せず）に接続するようにして、２つのソレノイド３０１２とコンデンサとで共振回路を構成し、この共振回路の共振周波数を、測定部５０２により電磁結合あるいは静電結合でもって近傍にて非接触的に測定するようにし、この共振周波数から自己インダクタンスの変化を示す値等を取得して自己インダクタンスの変化を観測するようにしてもよい。
【０１３２】
なお、上記各実施の形態のうちの、環状部材からの漏洩磁束を取得してインダクタンスの変化を測定する装置においては、以下のような磁束を取得するための装置を更に有するようにしても良い。
【０１３３】
図８は、上記実施の形態３における陰茎監視装置３のソレノイト３０１２からの漏洩磁束を取得するための装置の構成の第一の例を示す図（図８（ａ））、第一の例が示す構成により、環状部材３０１から漏洩磁束を取得している状態を示す模式図（図８（ｂ））、第二の例を示す図（図８（ｃ））、および第二の例が示す構成により、環状部材３０１からの漏洩電界を取得している状態を示す模式図（図８（ｄ））である。
【０１３４】
ソレノイド３０１２からの漏洩磁束は、例えばこのソレノイド３０１２の直径およびその磁束を担うフェライトコア片等の磁性体３０１３が、いずれも直径２ｍｍとか言う程度の小さなものであっても、図８（ａ）に示す第一の例のような構成を有する装置を用いることができる。すなわち数ｃｍないし数十ｃｍ離れた所でも、例えば、直径数ｃｍ〜数十ｃｍのワンターンコイル３０６１を磁界プローブとしてその電流をロゴスキーコイル（またはカレントトランス）３０６２を介して低雑音増幅器３０６３により拾い上げることができる。なお、ロゴスキーコイル３０６２と低雑音増幅器３０６３との間は図示せぬ同軸ケーブルやシールト線により接続される。ロゴスキーコイル３０６２の出力には必要に応じて整合抵抗３０６４が設けられる。低雑音増幅器３０６３の出力は、例えば測定部３０２に入力される。なお、磁界プローブとして利用可能な複数巻きのコイルをワンターンコイル３０６１の代わりに用いても良い。
【０１３５】
また、図８（ｂ）に示す第二の例のような、静電プローブをなす一対の円盤電極３０７１と、この円盤電極対３０７１と接続された低雑音増幅器３０７２とを用いて空間的に数ｃｍ離れたところからでも漏洩電界を拾い上げることができる。
【０１３６】
なお、図８においては、実施の形態３を用いて説明したが、本発明においては、上記の第一の例や第二の例に示す磁束を取得する装置を、実施の形態３以外の、インダクタンスの変化を測定するために、環状部材からの磁束を拾い上げることが必要な他の実施の形態においても利用可能なものであり、このような装置を、他の実施の形態の測定部等に組み込むようにしてもよい。
【０１３７】
円環ソレノイドないし近似的なトロイダルコイルの場合は、漏洩磁束は原理上存在しないので、静電結合のみが好ましい実施例をもたらし得る。しかし、適切なレベルの漏洩磁束が得られるように円環ソレノイドないし近似的なトロイダルコイルとしての完全性を崩しておけば漏洩磁束結合も可能となる。かかる完全性を崩す手法としては小区間の巻線の省略とか始端と終端をやや離す等の手法があり得る。ここでの乱れは、環状部材の周方向に垂直な断面の直径（即ち環状部材の太さ）程度の乱れで十分である。
【０１３８】
さらに、図９（ａ）に示すように、環状部材３０１等を、その周回１波長共振の基底モードで動作する共振回路としてＧＨｚ領域で使う場合には波長程度以上離れた場所から電波伝播のモードで反射性を観測することができる。この手法によりＣＷもしくは短時間パルスの動作モードで稼動する至近距離レーダ、例えば、送受信機３０９１とアンテナ３０９２とを有するレーダ送受信機等でもって共振周波数等が検出、観測可能である。これによれば陰茎にはめられた適切な絶縁材量でおおった伸縮性の良導体の共振回路の共振周波数を、例えば就寝中に着衣や布団の上から、また床の傍らから、観測、測定することが可能である。もちろん電波の波面、すなわち環状部材とレーダー送受信機のお互いの向きの整合性には十分注意しなければならないが、この問題は１ケ所からだけではなく複数箇所からダイバシティーないし多重送受信の手法で回避可能である。
【０１３９】
周回１波長の共振回路の場合も、また途中に直列コンデンサを入れたワンターンコイルの共振回路の場合も、また、電磁結合的あるいは電波伝播的な４端子ネットワーク分析の手法でもっても観測が可能である。この場合、駆動側と検出側のアンテナもしくはサーチコイルを、環状部材を間において大略対偶側に置けば、それらの間の環状部材の共振に由来する介在性結合は測定部であるネットワークアナライザにより観測可能である。
【０１４０】
例えば、図９（ｂ）に示すように、上記実施の形態４に示した陰茎監視装置４において、ネットワークアナライザである測定部４０２の駆動側プローブ４０２１ａと、検出側プローブ４０２１ｂとを環状部材４０１を間においてほぼ対称となるように配置することで、それらの間の環状部材４０１の共振に由来する介在性結合を測定部４０２であるネットワークアナライザにより観測可能である。なお、ここでは、プローブとしてワンターンコイルを用いた例を示しているが、プローブ等として利用可能な複数巻きのコイル等を用いても良い。
【０１４１】
なお、上記において、環状部材として、陰茎海綿体白膜より柔軟性を有するものを用いることや、陰茎海綿体白膜よりも堅牢なものを用いることについて説明したが、例えば、図１０のグラフに示すように、実際には陰茎と陰茎海綿体および白膜の勃起に関する機序は、他の中空臓器（例えば胃、膀胱等）の場合と同様に、ある値の内圧までは非常にふくよかで良く伸びて弾力性に富みながら（図１０の領域Ａ）、ある限界値に到達するとそれ以上伸びられないので急に硬度ないしスティフネスを増し（図１０の領域Ｂ）、あとは「破壊的な」領域に入る、という性質を有する。通常の勃起と言う現象がこの観点からそういう行程の何処から何処までを履歴する現象かと言う観点から考えると、本件に関して扱うべき領域はそれら領域Ａ、Ｂの２つの領域を随時往復する現象であり、最終的に勃起し切った「完全勃起」なる状態は白膜が張り詰めてそれ以上は寸法を大きくする事が困難で、ただ外界から見た硬さだけが増強するような領域Ｂに踏み込んでいると考えるのが自然である。そこで計測はそのどちらの領域に、もしくは両領域を通じて、対応するべき物かは多少慎重な考慮ないし配慮を要する。一つの考え方として、もし本件計測が夜間に睡眠時相同期の勃起が見られるかを主目的にするならば領域Ａにおいて径ないし周囲長を測るのが正解であり、もし勃起の完全度が挿入行為を成功裡に実行するに足りるだけのものであるか否かを評価する事を主目的にするならば領域Ｂにおいて内圧を推測するのが正解であろう。
【０１４２】
そこで改めて実用的実務的見地から考えると、本発明においては、環状部材を海綿体白膜の硬度と似た硬度のものとし、この環状部材の周回方向の内部応力の変化を観測し、その変化分を環状部材の周回方向スティフネスと陰茎白膜の動作状態での周回方向スティフネスとに応じて逆算按分することにより陰茎の周囲長もしくは内圧の変化を間接的に観測する如く構成されたことを特徴とする、陰茎の周囲長もしくは内圧の変化を監視する装置であることができる。例えば、上記各実施の形態における陰茎監視装置の測定部が、環状部材の電気的性質（例えばインダクタンス等）の変化の測定結果を示す値を取得し、取得した値を、環状部材の周回方向のスティフネスと、陰茎白膜の動作状態における周回方向のスティフネスとに応じて逆算按分して、陰茎の周囲長および陰茎の内圧の変化を示す値を取得するようにしてもよい。
【０１４３】
この逆算案分には図８の領域Ａのリニヤモデルを使用して換算係数を得る。ここでしかしながらもともと硬の陰茎と軟らか目の陰茎とで個人差、年齢差、人種差などは非常に広いので、患者個人に適応させて装置の方を選択する以外に好ましい適応化条件が発見し難い可能性は残る。がこのように中庸な、ないし白膜と似た程度の硬さの「わっか」を用いると言う技術思想は存在し得るし、また本発明の好ましい応用例の一群を形成し得るものである。
【０１４４】
なお、図１０のグラフは、イメージを示すものであり、正確な測定結果等を示すものではない。
【０１４５】
なお、上記各実施の形態において、測定部や出力部等のうちの、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【０１４６】
本発明は、以上の実施の形態に限定されることなく、種々の変更が可能であり、それらも本発明の範囲内に包含されるものであることは言うまでもない。
【産業上の利用可能性】
【０１４７】
以上のように、本発明にかかる陰茎監視装置等は、陰茎の変化を監視する装置等として適しており、特に、陰茎の周囲長の変化や内圧の変化等を監視する装置等として有用である。
【符号の説明】
【０１４８】
１、２、３、４、５  陰茎監視装置
１０１、２０１、３０１、４０１、５０１  環状部材
１０３  出力部
１０１２、２０１３  コンデンサ
１０２、１０２ａ、２０２、２０２ａ、３０２、４０２、５０２  測定部
３０１２、４０１２  ソレノイド
１０１１  導電性部材
１０１５  非導電性部材
２０１１  周回ソレノイド
２０１２  チューブ
２０５０、５０１３  発振回路
３０１１、４０１１  線状部材
３０１４  伸縮カバー
３０１１ａ  第一の端部
３０１１ｂ  第二の端部
３０１２ａ  ソレノイド用台座
３０１２ａ  磁性体用台座
３０１３  磁性体
３０６２  ロゴスキーコイル
３０６３、３０７２  低雑音増幅器
３０６４  整合回路
３０７１  電極対
３０９１  送受信機
３０９２  アンテナ
４０２１ａ  駆動側プローブ
４０２１ｂ  検出側プローブ
【図１】
0006733932.tif 000002
【図２】
0006733932.tif 000003
【図３】
0006733932.tif 000004
【図４】
0006733932.tif 000005
【図５】
0006733932.tif 000006
【図６】
0006733932.tif 000007
【図７】
0006733932.tif 000008
【図８】
0006733932.tif 000009
【図９】
0006733932.tif 000010
【図１０】
0006733932.tif 000011